(57)【特許請求の範囲】
【請求項１】
操作桿（７）における後端寄りの部位に取り付けられて、肩掛けバンド（６０）の下端部を係止する刈払機（１）の吊持用係止具（１０）であって、
前記操作桿（７）に取付固定され、前記操作桿（７）の長さ方向に沿って所定間隔をあけて複数の係止穴（３１〜３５）が形成された板状の係止具本体（３０）と、該係止具本体（３０）の前記係止穴（３１〜３５）に通される棒状材からなるリング状の吊金具（５０）とを備え、前記係止具本体（３０）に、前記複数の係止穴（３１〜３５）の下部同士を繋ぐように、前記吊金具（５０）を構成する棒状材の直径（φ）ないし厚みより小さい溝幅（β）を持つ挿通溝穴（４０、４１〜４４）が形成されるとともに、前記リング状の吊金具（５０）の上下方向もしくは左右方向の少なくとも一端部（５２、５２、５３、５３）の厚さ（α）が、前記吊金具（５０）を寝かせた状態で前記挿通溝穴（４０、４１〜４４）を通り抜けることができるように、前記溝幅（β）より薄くされていることを特徴とする刈払機の吊持用係止具。
【請求項２】
前記係止具本体（３０）は、側面視概略弧状とされ、その一端側が前記操作棹（７）に取付固定され、他端側は操作桿（７）の長さ方向に沿って後方斜め上に伸びていることを特徴とする請求項１に記載の刈払機の吊持用係止具。
【請求項３】
前記複数の係止穴（３１〜３５）の頂部は、前記操作桿（７）の後端寄りほど高くなるように高低差が付けられていることを特徴とする請求項１又は２に記載の刈払機の吊持用係止具。
【請求項４】
前記吊金具（５０）は、正面視外形がレーストラックないし小判形状とされていることを特徴とする請求項１から３のいずれか一項に記載の刈払機の吊持用係止具。 
【発明の詳細な説明】
【技術分野】
【０００１】
本発明は、刈払機において肩掛けバンドを係止するために操作桿に取り付けられる吊持用係止具に関する。
【背景技術】
【０００２】
一般に、刈払機は、操作桿の前端部に刈刃等の作業部が取り付けられ、後端側にエンジン等の動力源が取り付けられており、作業者が操作桿あるいはそれに取り付けられたハンドルを両手もしくは片手で持って刈刃部分を左右等に振りながら刈払作業を行うものである。
【０００３】
かかる刈払機では、刈払作業における手や腕にかかる負担を軽減するため、刈払機を肩掛けバンドで吊持するようにしているのが普通である。詳しくは、例えば、下記特許文献１及び特許文献２等にも見られるように、操作桿における後端寄り（エンジン寄り）の部位に吊持用係止具を取付固定し、該吊持用係止具に肩掛けバンドの下端部を係止することによって刈払機の重量の大半を肩で受けるようにしている。
【０００４】
【特許文献１】実開平1-112624号公報
【特許文献２】実公昭57-4816号公報
【発明の開示】
【発明が解決しようとする課題】
【０００５】
ところが、前記のように肩掛けバンドで吊持するようにした１台の刈払機を複数の作業者で使用する場合、肩掛けバンドでの刈払機の吊持位置（肩掛けバンドの下端部の係止位置）は作業者（の身長等）によって異なるので、従来においては、使用者が代わる度に、前記吊持用係止具の取付位置や肩掛けバンドの長さ等を変更しなければならならなかった。また、例えば、刈払作業を行う場所が平坦地から傾斜面に移る際等にも、吊持位置を変えた方が作業効率や安全性が高くなる場合もある。
【０００６】
しかしながら、従来の刈払機において吊持位置を変えるためには、工具を必要としたり、一旦吊持連結を解除しなくてはならず、迅速性や安全性の面で問題があった。例えば、前記特許文献１の前記吊持用係止具は、手指等で拡径した固定具の弾性復元力や締付ボルトによる縮径力を利用して、位置変更可能に操作桿へ抱着させる構成となっているが、抱着力が不足すれば前記吊持用係止具の固定力が不十分となるので、実際には工具を用いざるを得なかった。また、前記特許文献２の吊持具には複数の係止孔が形成されて吊持ばねのフック部を直接掛止しており、工具なしの吊持位置変更を可能としているが、作業中の吊持位置変更時には前記吊持ばねを前記吊持用係止具から一旦外さなくてはならないので、不測の機体落下に対する危険性を払拭できない。
【０００７】
本発明は、上述した如くの従来の問題を解消すべくなされたもので、その目的とするところは、肩掛けバンドでの刈払機の吊持位置を任意に、しかも容易に変更することのできる刈払機の吊持用係止具を提供することにある。
【課題を解決するための手段】
【０００８】
前記の目的を達成すべく、本発明に係る刈払機の吊持用係止具は、基本的には、操作桿における後端寄りの部位に取り付けられて、肩掛けバンドの下端部を係止するもので、前記操作桿に取付固定され、前記操作桿の長さ方向に沿って所定間隔をあけて複数の係止穴が形成された板状の係止具本体と、該係止具本体の前記係止穴に通される棒状材からなるリング状の吊金具とを備え、前記係止具本体に、前記複数の係止穴の下部同士を繋ぐように、前記リング状の吊金具を構成する棒状材の直径ないし厚みより小さい溝幅を持つ挿通溝穴が形成されるとともに、前記吊金具の上下方向もしくは左右方向の少なくとも一端部の厚さが、前記吊金具を寝かせた状態で前記挿通溝穴を通り抜けることができるように前記溝幅より薄くされていることを特徴としている。
【０００９】
前記係止具本体は、好ましくは、側面視概略弧状とされ、その一端側が前記操作桿に取付固定され、他端側は操作桿の長さ方向に沿って後方斜め上に伸ばされる。
【００１０】
前記複数の係止穴の頂部は、好ましくは、前記操作桿の後端寄りほど高くなるように高低差が付けられる。
【００１１】
前記吊金具は、好ましくは、正面視外形がレーストラックないし小判形状とされる。
【発明の効果】
【００１３】
上記の如くの構成とされた本発明に係る刈払機の吊持用係止具では、係止具本体の係止穴に吊金具が、例えばチェーンのリンク（要素）同士を連結するのと同様な手法で、予め通されて抜けないようにされており、この吊持具に肩掛けバンドの下端部が係止されている。
【００１４】
そして、刈払機の吊持位置（肩掛けバンドの下端部の係止位置）を変更する際には、吊金具を例えば寝かせる等して、他部分より薄くされている部分（上下方向もしくは左右方向の少なくとも一端部）を、挿通溝穴部分に挿入して通過させる。これにより、吊金具が隣の係止穴に移動し、この状態で肩掛けバンドを肩に掛ければ刈払機の吊持位置（肩掛けバンドの下端部の係止位置）が変わる。他の係止穴にも同様にして吊金具を移動させれば吊持位置を変えることができる。
【００１５】
このように本発明の刈払機の吊持用係止具によれば、吊金具との連結を解除することなく、工具を用いないで、また、面倒なバンド長の調節等を要することなく、肩掛けバンドでの刈払機の吊持位置を任意にかつ簡単容易に変更することができる。
【００１６】
また、係止具本体は、例えば、側面視概略弧状とされ、その一端側が操作桿における前グリップと後グリップとの間の部位に取付固定され、他端側（解放端）は操作桿の長さ方向（前後方向）に沿って後方斜め上に伸び、後グリップのレバー装置の上方に位置するようにもできるので、係止具本体の両端部をそれぞれ操作桿に取付固定するようにした場合に比して、取付スペースが狭くて済み、このため、グリップ等の位置はそのままで、吊持用係止具を最適部位に配置することが可能となる。
【発明を実施するための最良の形態】
【００１７】
以下、本発明の吊持用係止具の実施の形態を図面を参照しながら説明する。
【００１８】
図１は、本発明に係る吊持用係止具の一実施形態を、刈払機１の操作桿７に取り付けた状態を示す斜視図、図２は図１に示される吊持用係止具の拡大斜視図である。
【００１９】
図１に示される刈払機１は、操作桿７の前端部に、刈払刃８や安全カバー９等からなる作業部３が設けられ、その後端部に、前記刈払刃８を前記操作桿７に内装されたドライブシャフトを介して駆動するための動力源としての、リコイルスタータ６や燃料タンク４が付設された内燃エンジン２（小型空冷２サイクルガソリンエンジン）が取り付けられており、この内燃エンジン２にスロットル弁ＣＶを有する気化器や点火プラグ５が備えられている。
【００２０】
前記操作桿７おける中央部付近には、前グリップ１５が外嵌固定されており、この前グリップ１５より後方側に、前記内燃エンジン２のスロットル弁ＣＶの開度を制御するためのスロットルレバー２５等が組み込まれたレバー装置２２を有する後グリップ２０が外嵌固定されている。
【００２１】
そして、操作桿７における前グリップ１５と後グリップ２０との間に、本実施形態の吊持用係止具１０が取付固定されている。
【００２２】
本実施形態の吊持用係止具１０は、操作桿７における後端寄り（エンジン２寄り）の部位に取付固定されて、肩掛けバンド６０の下端部を連接リング５５を介して係止（固定）するもので、係止具本体３０と丸棒材からなるリング状の吊金具５０とを備えている。
【００２３】
前記係止具本体３０は、金属板素材を例えば打ち抜きプレス加工すること等により作製されたもので、側面視概略弧状とされ、その一端側が操作桿７における前グリップ１５と後グリップ２０との間の部位に緊締バンド４６、４６及びボルトナット類４８、４８により締付固定され、他端側（解放端）は操作桿７の長さ方向（前後方向）に沿って後方斜め上に伸び、後グリップ２０のレバー装置２２の上方に位置せしめられいる。
【００２４】
この係止具本体３０には、操作桿７の長さ方向に沿って所定間隔をあけて複数（ここでは５つ）の半レーストラック形状の係止穴３１、３２、３３、３４、３５が形成されている。これらの係止穴３１〜３５の頂部は、操作桿７の後端寄り（係止穴３１側）ほど高くなるように高低差が付けられている。また、係止具本体３０には、前記５つの係止穴３１〜３５の下部同士を繋ぐように、前記吊金具５０を構成する棒状材の直径φ（図３参照）より小さい溝幅（間隙）βを持つ側面視概略弧状の挿通溝穴４０（４１、４２、４３、４４）が形成されている（図２、図４参照）。
【００２５】
前記吊金具５０は、図３に示される如くに、例えばチェーンのリンク（要素）を製造する場合と同様な手法より、所定の長さに切断された丸棒の状態から折り曲げられてその両端が突き合わせ溶接等により接合されて正面視外形がレーストラックないし小判状のリングとされている。この吊金具５０は、両端が突き合わせ溶接される前の丸棒状態のときに係止具本体３０の係止穴３１（〜３５のいずれか）に挿入されて折り曲げられ、その両端が突き合わせ溶接等により接合されたものなので、図１、図２に示される組み付け状態では、係止具本体３０からは取り外すことはできない。
【００２６】
そして、この吊金具５０の上下方向（長手方向）の半円状両端部５２、５２の厚みαが前記挿通溝穴４０（４１、４２、４３、４４）を通り抜けることができるように前記溝幅βより薄くされている。ここでは、例えば、前記挿通溝穴４０（４１、４２、４３、４４）の溝幅βが約４ｍｍ、吊金具５０の素材である丸棒の直径φが約５ｍｍ、前記薄くされた半円状両端部５２、５２の厚みαが約３．５ｍｍとなっている。
【００２７】
なお、半円状両端部５２、５２を薄く加工するのは、前記突き合わせ溶接等を行う前（丸棒の状態）でも、その後（前記係止具本体３０に組み付けた後）でもいずれでもよい。また、図２、図４に示される状態では、図示が省略されているが、図１と同様に、肩掛けバンド６０の下端部が瞬時開放機能付連結具５５を介して吊金具５０に係止されている。
【００２８】
このような構成とされた吊持用係止具１０において、肩掛けバンド６０での刈払機１の吊持位置（肩掛けバンド６０の下端部の係止位置）を変更する際には、図４に示される如くに、例えば係止穴３１に挿入係止されている吊金具５０を寝かせる等して、縦辺部５１、５１より薄くされている半円状両端部５２、５２を、図の仮想線で示される如くに、挿通溝穴４１の傾き角度と同程度に傾斜させて挿通溝穴４１に挿入し、この状態で挿通溝穴４１部分を通過させる。これにより、吊金具５０が隣の係止穴３２に移動し、この状態で肩掛けバンド６０を肩に掛ければ刈払機１の吊持位置（肩掛けバンド６０の下端部の係止位置）が係止穴３１から係止穴３２に変わる。他の係止穴３３、３４、３５にも同様にして吊金具５０を移動させれば吊持位置を変えることができる。
【００２９】
このように本実施形態の吊持用係止具１０によれば、吊金具５０との連結を解除することなく、工具を用いないで、また、面倒なバンド長の調節等を要することなく、肩掛けバンド６０での刈払機１の吊持位置を任意にかつ簡単容易に変更することができる。
【００３０】
また、係止具本体３０は側面視概略弧状とされ、その一端側が操作桿７における前グリップ１５と後グリップ２０との間の部位に取付固定され、他端側（解放端）は操作桿の長さ方向（前後方向）に沿って後方斜め上に伸び、後グリップ２０のレバー装置２２の上方に位置するようにもできるので、係止具本体３０の両端部をそれぞれ操作桿７に取付固定するようにした場合に比して、取付スペースが狭くて済み、このため、グリップ等の位置はそのままで、吊持用係止具１０を最適部位に配置することが可能となる。
【００３１】
なお、上記実施形態においては、吊金具５０の上下（長手）方向の半円状両端部５２、５２を薄く加工しているが、必ずしもこれに限られる訳ではなく、例えば図５に示される如くに、吊金具５０の左右方向の両端部（縦辺部５１、５１）の中央部５３、５３を適宜に薄く加工するようにしてもよく、このようにされた吊金具５０’でも上記と同様に薄くされた中央部５３、５３を挿通溝穴４０（４１、４２、４３、４４）に挿入して通過させれば吊持位置を変更することができ、この場合も上記実施形態と同様な作用効果が得られる。
【図面の簡単な説明】
【００３２】
【図１】本発明に係る吊持用係止具の一実施形態を刈払機の操作桿に取り付けた状態を示す斜視図。
【図２】図１に示される吊持用係止具の拡大斜視図。
【図３】図１示される吊金具を示し、（Ａ）は拡大斜視図、（Ｂ）は拡大側面図。
【図４】図１に示される吊持用係止具における刈払機の吊持位置を変更する際の説明に供される側面図。
【図５】図１示される吊金具の変形例を示し、（Ａ）は拡大側面図、（Ｂ）は拡大正面図。
【符号の説明】
【００３３】
１   …刈払機
２   …内燃エンジン
３   …作業部
７   …操作桿
１０ …吊持用係止具
１５ …前グリップ
２０ …後グリップ
２２ …レバー装置
３０ …係止具本体
３１〜３５ …係止穴
４０（４１、４２、４３、４４） …挿通溝穴
５０ …吊金具
６０ …肩掛けバンド
α   …吊金具の両端部の厚み
β   …挿通溝穴の溝幅
φ   …吊金具の素材である丸棒の直径
【図１】
0005265208.tif 000002
【図２】
0005265208.tif 000003
【図３】
0005265208.tif 000004
【図４】
0005265208.tif 000005
【図５】
0005265208.tif 000006